(57)【特許請求の範囲】
【請求項１】
光源と、
前記光源からの光を透過又は反射させて、蒸気を使用又は発生する装置の筐体の外部へ照射する一対の照射面と、を含み、
前記一対の照射面は、前記筐体の操作部側の面に対して同一の方向に向かって傾斜していることを特徴とする表示装置。
【請求項２】
前記筐体は、前記操作部側の面に溝を有し、
前記溝は、前記溝が延在する方向に対して両側に、前記操作部側の面から前記溝の底に向かって傾斜した前記一対の照射面を、溝壁として有する、請求項１に記載の表示装置。
【請求項３】
前記光源は、前記筐体内に設けられており、
前記一対の照射面は、前記光源からの光を透過させ、かつ拡散させる、請求項１又は２に記載の表示装置。
【請求項４】
前記溝の底は、無彩色系の色となっている、請求項２又は３に記載の表示装置。
【請求項５】
前記溝は、前記一対の照射面の間に、前記溝の底から立設してそれぞれの前記照射面に光を照射する一対の溝内照射面を有し、
前記一対の照射面は、前記溝内照射面からの光を反射する、請求項２に記載の表示装置。
【請求項６】
前記溝内照射面は、前記溝の底に対して、対向する前記照射面と同じ方向に傾斜している、請求項５に記載の表示装置。
【請求項７】
前記一対の溝内照射面の間には、前記光源がそれぞれの前記溝内照射面に対応して設けられる、請求項５又は６に記載の表示装置。
【発明の詳細な説明】
【技術分野】
【０００１】
本発明は、装置の運転状態を光によって表示する表示装置に関する。
【背景技術】
【０００２】
光によって装置の運転状態を表示する表示装置がある。例えば、特許文献１には、各種機器の動作表示を行うランプを覆い、その点滅状況を外部に伝える照光カバーであって、透明体により断面台形の肉厚に構成し、かつその断面の対角線に沿ってスリットを設けた表示ランプの照光カバーが記載されている。
【先行技術文献】
【特許文献】
【０００３】
【特許文献１】特開平５−１１７１６号公報
【発明の概要】
【発明が解決しようとする課題】
【０００４】
光を利用した表示装置の視認性が低いと、装置の状態を把握することが難しくなる可能性がある。特に、複数の装置を使用する場合には、視認性の低さが問題となる可能性がある。また、特許文献１に記載された技術は透明体にスリットを設けて形成したプリズムを利用するため、透明体に細かなスリットを形成する必要があり、構造が複雑になる可能性がある。
【０００５】
本発明は、装置の状態を光によって表示する表示装置の視認性を、簡単な構造で向上させることを課題とする。
【課題を解決するための手段】
【０００６】
本発明は、蒸気を使用又は発生する装置の筐体内に設けられる光源と、前記光源からの光を受光する受光部、前記受光部からの光を照射する照射部及び前記受光部からの光を前記照射部へ導く導光部を有し、前記照射部は、前記筐体の操作部側の面から突出する導光部材と、を含むことを特徴とする表示装置である。
【０００７】
前記筐体は、前記操作部側の面に溝を有し、前記照射部は、前記溝の底から突出していることが好ましい。
【０００８】
前記溝は、前記操作部側の面から前記溝の底に向かって傾斜して前記溝の底と接続する一対の傾斜部を、前記溝の延在方向に対して両側に有していることが好ましい。
【０００９】
前記照射部は、前記溝の延在方向に向かって延在し、かつ前記照射部の延在方向に対して両側に、それぞれ面取り部を有することが好ましい。
【００１０】
前記筐体の操作部側の面は、前記導光部材の周囲が無彩色系の色となっていることが好ましい。
【００１１】
前記導光部材は、棒状の部材であり、光を透過させ、かつ側面に向かって光を拡散させる機能を有するとともに、湾曲して一部が前記筐体の前記操作部側の面から外側に突出し、かつ曲がりの内側が前記筐体に面していることが好ましい。
【００１２】
前記導光部材は、板状の部材であり、光を透過させ、かつ一方の面に向かって光を拡散させる機能を有するとともに、湾曲して一部が前記筐体の前記操作部側の面から外側に突出し、かつ曲がりの内側である他方の面が前記筐体に面していることが好ましい。
【００１３】
前記筐体は、前記操作部側の面に溝を有し、前記導光部材は、前記溝の溝壁から突出し、かつ前記光拡散部と前記溝の底とは離れていることが好ましい。
【００１４】
本発明は、光源と、前記光源からの光を透過又は反射させて、蒸気を使用又は発生する装置の筐体の外部へ照射する一対の照射面と、を含み、前記一対の照射面は、前記筐体の操作部側の面に対して同一の方向に向かって傾斜していることを特徴とする表示装置である。
【００１５】
前記筐体は、前記操作部側の面に溝を有し、前記溝は、前記溝が延在する方向に対して両側に、前記操作部側の面から前記溝の底に向かって傾斜した前記一対の照射面を、溝壁として有することが好ましい。
【００１６】
前記光源は、前記筐体内に設けられており、前記一対の照射面は、前記光源からの光を透過させ、かつ拡散させることが好ましい。
【００１７】
前記溝の底は、無彩色系の色となっていることが好ましい。
【００１８】
前記溝は、前記一対の照射面の間に、前記溝の底から立設してそれぞれの前記照射面に光を照射する一対の溝内照射面を有し、前記一対の照射面は、前記溝内照射面からの光を反射することが好ましい。
【００１９】
前記溝内照射面は、前記溝の底に対して、対向する前記照射面と同じ方向に傾斜していることが好ましい。
【００２０】
前記一対の溝内照射面の間には、前記光源がそれぞれの前記溝内照射面に対応して設けられることが好ましい。
【発明の効果】
【００２１】
本発明は、装置の状態を光によって表示する表示装置の視認性を、簡単な構造で向上させることができる。
【図面の簡単な説明】
【００２２】
【図１】実施形態１に係る表示装置を備えた装置の正面図である。
【図２】本実施形態に係る表示装置を示す図であり、図１のＡ−Ａ矢視図である。
【図３】本実施形態に係る表示装置を示す側面図である。
【図４】本実施形態に係る表示装置が備える導光部材及び光源を示す図である。
【図５】本実施形態に係る表示装置の斜視図である。
【図６】導光部材の変形例を示す図である。
【図７】導光部材の変形例を示す図である。
【図８】実施形態２に係る表示装置を示す図である。
【図９】実施形態２に係る表示装置が備える導光部材を示す図であり、図８のＢ−Ｂ矢視図である。
【図１０】光源の配置例を示す図である。
【図１１】実施形態２に係る表示装置の斜視図である。
【図１２】実施形態３に係る表示装置を示す図である。
【図１３】実施形態３に係る表示装置が備える導光部材を示す斜視図である。
【図１４】光源の配置例を示す図である。
【図１５】実施形態４に係る表示装置を示す図である。
【図１６】実施形態４に係る表示装置が備える導光部材を示す斜視図である。
【図１７】光源の配置例を示す図である。
【図１８】実施形態５に係る表示装置を示す図である。
【図１９】実施形態５に係る表示装置が備える導光部材を示す斜視図である。
【発明を実施するための形態】
【００２３】
本発明を実施するための形態（実施形態）につき、図面を参照しつつ詳細に説明する。
【００２４】
＜実施形態１＞
図１は、実施形態１に係る表示装置を備えた装置の正面図である。装置１は、蒸気を使用又は発生する装置であり、例えば、蒸気滅菌装置である。装置１は、蒸気を使用又は発生する装置であればよく、蒸気滅菌装置に限定されない。装置１は、例えば、床Ｆに設置されている。装置１は、筐体２と、操作部３と、表示装置１０とを含む。筐体２は、内部に装置１の機器類を収納している。表示装置１０は、装置１の状態を光によって報知する装置である。
【００２５】
図２は、本実施形態に係る表示装置を示す図であり、図１のＡ−Ａ矢視図である。図３は、本実施形態に係る表示装置を示す側面図である。図４は、本実施形態に係る表示装置が備える導光部材及び光源を示す図である。図５は、本実施形態に係る表示装置の斜視図である。表示装置１０は、光源１２と、導光部材１１とを含む。光源１２は、装置１の筐体２内に設けられる。光源１２は、装置１の状態に関する情報を光として照射する。光源１２は、例えば、発光ダイオード等を用いることができるが、これに限定されるものではない。
【００２６】
図３に示すように、表示装置１０は、光源１２を複数備えている。光源１２は、導光部材１１の受光部１３に沿って一列に配置されている。それぞれの光源１２は同一の色を発光するものであってもよいし、異なる色を発光するものであってもよい。また、表示装置１０が備える光源１２は単数であってもよい。
【００２７】
図４に示すように、導光部材１１は、受光部１３と、照射部１４と、導光部１５とを有する。導光部材１１は、透明かつ板状の部材である。本実施形態において、導光部材１１は、プリズムを形成するためのスリット等は有していないので、製造が簡単になるという利点がある。受光部１３は、光源１２からの光を受光する部分である。照射部１４は、受光部１３からの光、すなわち光源１２からの光を照射する。導光部１５は、受光部１３からの光を照射部１４へ導く。導光部材１１は、例えば、アクリル樹脂等の透明な樹脂を材料としている。なお、導光部材１１は、受光部１３が受光した光源１２からの光を照射部１４に導いて、照射部１４から筐体２の外部に向かって照射させる機能を有していればよい。この機能を発揮できれば、導光部材１１の材料は、前述した透明な樹脂に限定されるものではない。
【００２８】
図４に示すように、光源１２から照射された光は、導光部材１１の受光部１３に入射する。本実施形態において、受光部１３は、平面となっている。受光部１３から入射した光のうち、導光部１５の内壁面１５ＩＷに角度β＝４５度未満で入射する光は全反射し、内壁面１５ＩＷで全反射を繰り返してから最終的には照射部１４から出射する。図４に示す例において、受光部１３の形状は平面であるが、これに限定されない。例えば、図４の２点鎖線で示す受光部１３ｖのように、所定の曲率半径を有する曲面であってもよい。
【００２９】
図２に示すように、照射部１４は、筐体２の操作部３側の面（以下、適宜操作部面という）２Ｐから突出している。筐体２の操作部３側とは、操作部３の操作が可能な側であり、装置１の使用者は、操作部３に相対してこれを操作する。表示装置１０の照射部１４は、操作部面２Ｐから突出しているので、受光部１３が受光し、導光部１５によって導かれた光源１２の光を、装置１の筐体２の外側に向かって照射することができる。本実施形態において、図２、図５に示すように、筐体２は、操作部面２Ｐに溝４を有しており、照射部１４は、溝４の底４Ｂから突出している。溝４、より具体的には、溝４の底４Ｂも、筐体２の操作部面２Ｐの一部である。底４Ｂは、平面になっている。
【００３０】
表示装置１０は、導光部材１１の照射部１４が筐体２の操作部面２Ｐから突出しているので、視認性が向上する。また、装置１の使用者の視線が操作部面２Ｐから突出した照射部１４に集中しやすくなる。さらに、本実施形態において、照射部１４を溝４の底４Ｂから突出させることにより、使用者の視線を溝４に集中させた上で底４Ｂの照射部１４に集中させることができる。その結果、溝４を用いると、平面から照射部１４を突出させた場合と比較して、使用者の視線を照射部１４に集中させやすくなる。
【００３１】
表示装置１０は、導光部材１１を介して光源１２からの光を筐体２の外部に照射するため、プリズム等を利用して光源１２からの光を筐体２の外部に導く必要はない。その結果、表示装置１０は、構造を簡単にすることができる。
【００３２】
図２に示すように、本実施形態において、溝４は、操作部面２Ｐから溝４の底４Ｂに向かって傾斜して、溝４の底４Ｂと接続する一対の傾斜部５、５を有している。一対の傾斜部５、５は、溝４の延在方向に対して両側に設けられる。本実施形態においては、一対の傾斜部５、５と底４Ｂとを、底４Ｂと直交する溝側面４Ｓ、４Ｓが接続している。傾斜部５の傾斜角度αは、１０度〜６０度程度、好ましくは２０度〜４５度程度の範囲とすることができる。本実施形態では、傾斜角度αは３０度である。傾斜角度αは、操作部面２Ｐと平行な面Ｐに対する角度である。このように、表示装置１０は、溝４の両側に一対の傾斜部５、５を有するので、視野角θを大きくすることができる。照射部１４が溝４の底４Ｂから突出する量にもよるが、本実施形態においては、１５０度程度の視野角θを確保することができる。
【００３３】
図５に示すように、照射部１４は、溝４の延在方向に向かって延在している。図２、図４に示すように、照射部１４は、自身の延在方向に対して両側に、それぞれ面取り部１４Ｓ、１４Ｓを有する。それぞれの面取り部１４Ｓ、１４Ｓの間には、受光部１３と平行な平面部１４Ｐが設けられている。照射部１４は、平面部１４Ｐと、それぞれの面取り部１４Ｓ、１４Ｓとの両方から光を照射する。このように、照射部１４は、３箇所から光を照射するので、表示装置１０は、多方向からの視認性を確保することができる。なお、照射部１４は、梨地となっていてもよい。このようにすることで、光源１２からの光を拡散させることができるので、表示装置１０の視認性をより確保することができる。
【００３４】
本実施形態において、筐体２の操作部面２Ｐは、導光部材１１の周囲が無彩色系の色となっていてもよい。本実施形態においては、溝４の底４Ｂが無彩色系の色となっていてもよい。このようにすることで、照射部１４から照射される光の色が映えるので、表示装置１０の視認性がより向上する。溝４の底４Ｂを無彩色系の色とする場合、傾斜部５、５及び溝側面４Ｓ、４Ｓは、白色としたり、光を拡散させる層を形成したり、反射面としたりしてもよい。このようにすると、傾斜部５、５及び溝側面４Ｓ、４Ｓは、照射部１４、特に面取り部１４Ｓ、１４Ｓから照射された光を反射させることができるので、表示装置１０は、より視認性が向上する。
【００３５】
（導光部材の変形例）
図６、図７は、導光部材の変形例を示す図である。いずれの図も、図４に示す方向、すなわち、図１のＡ−Ａ矢視の方向から導光部材１１ａ、１１ｂを見た状態を示している。図６に示す導光部材１１ａ及び図７に示す導光部材１１ｂは、いずれも照射部１４ａ、１４ｂの形状が上述した導光部材１１の照射部１４とは異なっている。図６に示す照射部１４ａは、半径Ｒａの曲面となっている。また、図７に示す照射部１４ｂは、平面部１４Ｐｂの両側に半径Ｒｂの曲面を有する曲面部１４Ｓｂ、１４Ｓｂを有している。このような照射部１４ａ、１４ｂであっても、多方向に向かって光を照射するので、照射部１４ａ、１４ｂを備える表示装置１０は、多方向からの視認性を確保することができる。
【００３６】
＜実施形態２＞
図８は、実施形態２に係る表示装置を示す図である。図８は、図１のＡ−Ａ矢視の方向から表示装置１０ｃを見た状態を示している。図９は、実施形態２に係る表示装置が備える導光部材を示す図であり、図８のＢ−Ｂ矢視図である。図１０は、光源の配置例を示す図である。図１１は、実施形態２に係る表示装置の斜視図である。表示装置１０ｃは、導光部材１１ｃを備えており、これを湾曲させた上で一部を筐体２の操作部面２Ｐから突出させている。本実施形態において、表示装置１０ｃは、導光部材１１ｃの外側に、さらにスモークカバー１６が配置されているが、スモークカバー１６はなくてもよい。
【００３７】
導光部材１１ｃは、棒状の部材であり、導光部１５ｃは、光を透過させ、かつ側面１５Ｓに向かって光を照射する機能を有している。また、導光部材１１ｃは、図８に示すように、両端面が受光部１３ｃとなり、かつ側面１５Ｓの少なくとも一部が照射部１４ｃとなっている。そして、導光部材１１ｃの筐体２の操作部面２Ｐから外側に突出した部分は、導光部材１１ｃの曲がりの内側が筐体２に面しており、曲がりの外側は筐体２からより離れた位置に配置される。このように、表示装置１０ｃは、導光部材１１ｃの照射部１４ｃが筐体２の操作部面２Ｐから突出している。
【００３８】
導光部材１１ｃは、受光部１３ｃから導光部１５ｃに入射した光源１２の光が、その内部を透過する過程で反射又は拡散して側面１５Ｓから照射される。その結果、導光部材１１ｃは、側面１５Ｓの一部である照射部１４ｃが発光する。このような構造によって、導光部材１１ｃは、全体が発光しているように見える。本実施形態においても、導光部材１１ｃはプリズムを形成するためのスリット等は有していないので、製造が簡単になるという利点がある。
【００３９】
表示装置１０ｃは、照射部１４ｃが筐体２の操作部面２Ｐから突出しており、さらに、湾曲させた導光部材１１ｃが操作部面２Ｐから突出しているので、約１８０度の視野角が確保できる。このため、表示装置１０ｃは、筐体２の前方からの視認性に加えて、側方からの視認性も向上する。また、表示装置１０ｃは、導光部材１１ｃを介して光源１２からの光を筐体２の外部に照射するため、プリズム等を利用して光源１２からの光を筐体２の外部に導く必要はない。その結果、表示装置１０ｃは、構造を簡単にすることができる。
【００４０】
図８に示すように、本実施形態では、導光部材１１ｃの両端部の受光部１３ｃ、１３ｃから、それぞれ１個ずつの光源１２によって光を入射させているが、これに限定されるものではない。例えば、一方の受光部１３ｃのみから導光部材１１ｃに光を入射させてもよい。また、図１０に示すように、受光部１３ｃに対して複数の光源１２Ａ、１２Ｂから光を入射させてもよい。この場合、複数の光源１２Ａ、１２Ｂは、同一の色の光を照射してもよいし、異なる色の光を照射してもよい。
【００４１】
図１１に示すように、表示装置１０ｃは、複数（この例では２個）の導光部材１１ｃ１、１１ｃ２を有していてもよい。この例では、装置１の上下方向に向かって２個の導光部材１１ｃ１、１１ｃ２が配列されているが、上下方向と交差する方向に２個の導光部材１１ｃ１、１１ｃ２が配列されてもよい。一方の導光部材１１ｃ１は、例えば、異なる２色（例えば、緑及び赤）の色の光を発光可能な光源を有しており、他方の導光部材１１ｃ２は、単色（例えば、黄）の色の光を発光可能な光源を有している。このようにすることで、表示装置１０ｃは、複数の色の光を筐体２の外側に向かって照射することができる。
【００４２】
＜実施形態３＞
図１２は、実施形態３に係る表示装置を示す図である。図１２は、図１のＡ−Ａ矢視の方向から表示装置１０ｄを見た状態を示している。図１３は、実施形態３に係る表示装置が備える導光部材を示す斜視図である。図１４は、光源の配置例を示す図である。実施形態３は、実施形態２と同様であるが、光拡散部を一方の面に有する板状の部材を湾曲させて導光部材１１ｄとした点が異なる。
【００４３】
図１２、図１３に示すように、導光部材１１ｄは、板状の部材であり、導光部１５ｄは、光を透過させ、かつ一方の面１１ｄｐ２に向かって光を拡散させる機能を有している。また、導光部材１１ｄは、一方の面１１ｄｐ２と他方の面１１ｄｐ１との間の端面１１ｄｔ、１１ｄｔが受光部１３ｄ、１３ｄとなり、かつ一方の面１１ｄｐ２が照射部１４ｄとなっている。さらに、導光部材１１ｄは、湾曲して一部が筐体２の操作部面２Ｐから外側に突出し、かつ導光部材１１ｄの曲がりの内側である他方の面１１ｄｐ１が筐体２に面している。なお、受光部１３ｄとなる端面１１ｄｔ、１１ｄｔは、円弧状の端面ではなく、長方形形状の端面である。本実施形態においても、導光部材１１ｄはプリズムを形成するためのスリット等は有していないので、製造が簡単になるという利点がある。
【００４４】
図１２に示すように、光源１２は、受光部１３ｄと対向している。光源１２からの光は受光部１３ｄから導光部材１１ｄに入射し、その内部を透過する過程で反射又は拡散する。その結果、導光部材１１ｄは、湾曲した照射部１４ｄ（一方の面１１ｄｐ２）が面発光する。このように、表示装置１０ｄは、筐体２の操作部面２Ｐから、湾曲し、かつ面発光する照射部１４ｄを突出させることにより、多角的視認性の向上を図ることができる。また、表示装置１０ｄは、導光部材１１ｄを介して光源１２からの光を筐体２の外部に照射するため、プリズム等を利用して光源１２からの光を筐体２の外部に導く必要はない。その結果、表示装置１０ｄは、構造を簡単にすることができる。
【００４５】
本実施形態においては、図１４に示すように、それぞれ異なる色の光を発光する複数の光源１２Ａ、１２Ｂ、１２Ｃを備えている。導光部材１１ｄは、一方の受光部１３ｄについて、光源１２Ａ、１２Ｂ、１２Ｃを３個ずつ備えている。表示装置１０ｄは、光源１２Ａ、１２Ｂ、１２Ｃを切り換えることによって、照射部１４ｄから照射される光の色及び光量の少なくとも一方を調整することができる。また、表示装置１０ｄは、受光部１３ｄが延在する方向に複数の光源１２Ａ、１２Ｂ、１２Ｃを配置することができるので、照射部１４ｄの光量を多くすることができる。なお、表示装置１０ｄが備える光源の数は、それぞれの受光部１３ｄ、１３ｄに対して単数であってもよいし、一方の受光部１３ｄに対して単数であってもよい。また、それぞれの受光部１３ｄ、１３ｄに備えられる光源の数は３個に限定されるものではない。さらに、光源の数は、それぞれの受光部１３ｄ、１３ｄで異なっていてもよい。
【００４６】
筐体２は、操作部面２Ｐに溝４を有している。表示装置１０ｄの導光部材１１ｄは、溝４の溝壁４Ｗから突出し、かつ光拡散部１５Ｒｄと溝４の底４Ｂとは離れている。このような構造により、導光部材１１ｄが立体的に配置されるので、表示装置１０ｄは視認性が向上する。なお、本実施形態において、表示装置１０ｄは、１５０度程度の視野角θを確保できる。
【００４７】
＜実施形態４＞
図１５は、実施形態４に係る表示装置を示す図である。図１５は、図１のＡ−Ａ矢視の方向から表示装置１０ｅを見た状態を示している。図１６は、実施形態４に係る表示装置が備える導光部材を示す斜視図である。図１７は、光源の配置例を示す図である。表示装置１０ｅは、光源１２と、光源１２からの光を透過させて、筐体２の外部へ照射する一対の照射面１８、１８とを含んでおり、一対の照射面１８、１８は、筐体２の操作部面２Ｐに対して同一の方向に向かって傾斜している。本実施形態において、両方の照射面１８、１８は、いずれも筐体２の内側に向かって傾斜している。操作部面２Ｐに対する傾斜角度γは１０度〜６０度程度、好ましくは２０度〜４５度程度の範囲とすることができる。本実施形態において、傾斜角度γは３０度であるが、これには限定されない。
【００４８】
筐体２は、操作部面２Ｐに溝４を有している。溝４は、溝４が延在する方向に対して両側に、操作部面２Ｐから溝４の底４Ｂに向かって傾斜した一対の照射面１８、１８を溝壁として有している。表示装置１０ｅは、光源１２を収納した光源収納部１７を有している。本実施形態において、光源収納部１７は、それぞれの照射面１８、１８に対して１個ずつ設けられている。
【００４９】
照射面１８、１８は、いずれも光を透過させる平板であり、例えば、アクリル樹脂等を材料としている。なお、照射面１８、１８の材料は、アクリル樹脂に限定されるものではない。照射面１８、１８は、光源収納部１７、１７に収納された光源１２からの光を透過させて、筐体２の外部に照射する。照射面１８、１８は、梨地としてもよいし、光を拡散させる材料を含んでいてもよい。このようにすると、光源１２からの光を拡散させることができるので、表示装置１０ｅの視認性が向上するため好ましい。本実施形態において、照射面１８、１８はプリズムを形成するためのスリット等は有していないので、製造が簡単になるという利点がある。
【００５０】
光源収納部１７は、外形が直方体形状の部材であり、１つの面に照射面１８が取り付けられている。光源収納部１７は、長手方向が溝４の延在方向と平行に配置される。光源収納部１７の長手方向における両端部の内側に、それぞれ光源１２、１２が取り付けられる。両方の光源１２、１２は、同一の色を発光するものであってもよいし、異なる色の光を発光するものであってもよい。また、光源収納部１７の長手方向における両端部の少なくとも一方は、複数の光源１２を有していてもよい。この場合、複数の光源１２は、同一の色を発光するものであってもよいし、異なる色の光を発光するものであってもよい。
【００５１】
光源収納部１７の内面は、例えば、光を反射又は拡散させる光拡散層を有していてもよい。このようにすると、光源収納部１７内の光源１２が発光した光を効率よく照射面１８から筐体２の外部に向かって照射することができる。
【００５２】
表示装置１０ｅは、光源１２からの光を照射する照射面１８、１８を傾斜させ、筐体２の操作部面２Ｐから露出させて配置している。このため、表示装置１０ｅは、多方面からの視認性が向上する。なお、本実施形態において、表示装置１０ｅは、１７０度程度の視野角θを確保することができる。また、表示装置１０ｅは、筐体２に設けられた溝４の溝壁を傾斜させ、この部分に照射面１８、１８を配置する。このため、表示装置１０ｅは、図１に示す装置１の使用者の視線を溝４に集中させることができるので、図１に示す装置１の状態に関する情報としての光源１２からの光を、使用者に対してより確実に認識させることができる。また、表示装置１０ｅにおいて、溝４の底４Ｂは、無彩色系の色となっていてもよい。このようにすることで、照射面１８から照射される光の色が映えるので、表示装置１０ｅの視認性がより向上する。
【００５３】
また、表示装置１０ｅは、光源１２からの光を照射する照射面１８、１８を用いて光源１２からの光を筐体２の外部に照射するため、プリズム等を利用して光源１２からの光を筐体２の外部に導く必要はない。その結果、表示装置１０ｅは、構造を簡単にすることができる。
【００５４】
＜実施形態５＞
図１８は、実施形態５に係る表示装置を示す図である。図１８は、図１のＡ−Ａ矢視の方向から表示装置１０ｆを見た状態を示している。図１９は、実施形態５に係る表示装置が備える導光部材を示す斜視図である。表示装置１０ｆは、光源１２と、光源１２からの光を反射させて、筐体２の外部へ照射する一対の照射面１８ｆ、１８ｆと、それぞれの照射面１８ｆ、１８ｆに光源１２からの光を照射する一対の溝内照射面１９、１９とを含んでいる。
【００５５】
筐体２は、溝４を有している。一対の照射面１８ｆ、１８ｆは、溝４の延在方向における底４Ｂの両側と筐体２の操作部面２Ｐとを接続している。一対の照射面１８ｆ、１８ｆは、溝４の溝壁にもなっている。一対の照射面１８ｆ、１８ｆは、底４Ｂに対して同じ方向、すなわち、筐体２の操作部面２Ｐに向かって傾斜している。これは、一対の照射面１８ｆ、１８ｆは、操作部面２Ｐに対して同じ方向、すなわち、筐体２の内側に向かって傾斜することと同義である。底４Ｂと照射面１８ｆとのなす角度である傾斜角度αは、１０度〜６０度程度、好ましくは２０度〜４５度程度の範囲とすることができる。本実施形態において、傾斜角度αは３０度であるが、これには限定されない。
【００５６】
溝４は、一対の照射面１８ｆ、１８ｆの間に、溝４の底４Ｂから立設する一対の溝内照射面１９、１９を有している。溝内照射面１９、１９は、いずれも光を透過させる平板であり、例えば、アクリル樹脂等を材料としている。なお、溝内照射面１９、１９の材料は、アクリル樹脂に限定されるものではない。溝内照射面１９、１９は、溝４の底４Ｂに対して、これらが対向する照射面１８ｆ、１８ｆと同じ方向に傾斜している。
【００５７】
溝４は、一対の照射面１８ｆ、１８ｆの間に、光源１２を収納する光源収納部２０を有している。光源収納部２０は、溝内照射面１９、１９と、それぞれの溝内照射面１９、１９と接続する端部２０Ｔ、２０Ｔと、端部２０Ｔ、２０Ｔ同士を接続するカバー部２０Ｓとを含んでおり、これらで囲まれた空間内に光源１２を収納している。光源１２は、一対の溝内照射面１９、１９の間に、それぞれの溝内照射面１９、１９に対応して設けられる。光源１２の数は、１個の溝内照射面１９に対して単数であっても複数であってもよい。１個の溝内照射面１９に対して複数の光源１２を設ける場合、複数の光源１２は同じ色を発光するものであってもよいし、異なる色を発光するものであってもよい。溝内照射面１９、１９は、光源収納部２０に収納された光源１２からの光を透過させて、照射面１８ｆ、１８ｆに照射する。
【００５８】
照射面１８ｆ、１８ｆは、溝内照射面１９、１９から照射された光源１２からの光を反射させることができればよい。例えば、照射面１８ｆ、１８ｆは鏡面であってもよいし、光を拡散させる拡散層が形成されていてもよい。本実施形態において、照射面１８ｆ、１８ｆはプリズムを形成するためのスリット等は有していないので、製造が簡単になるという利点がある。
【００５９】
表示装置１０ｆは、光源１２からの光を直接光として筐体２の外部に照射するのではなく、照射面１８ｆ、１８ｆで反射させてから、間接光Ｌとして筐体２の外部に照射する。このように、表示装置１０ｆは、間接照明を利用することにより、質感の高い表示が可能となる。また、表示装置１０ｆは、光源１２からの光を照射する照射面１８ｆ、１８ｆを傾斜させ、筐体２の操作部面２Ｐから露出させて配置している。このため、表示装置１０ｆは、多方面からの視認性が向上する。なお、本実施形態において、表示装置１０ｆは、１５０度程度の視野角θを確保することができる。
【００６０】
また、表示装置１０ｆは、光源収納部２０の端部２０Ｔ、２０Ｔとカバー部２０Ｓとが、溝４内、より具体的には、照射面１８ｆ、１８ｆと溝内照射面１９、１９との間の部分に影を作る。そして、溝内照射面１９、１９は、影となっている部分に光源１２からの光を照射することにより、光と影とのコントラストを大きくして、装置１の使用者に対して間接光Ｌをより明るく見せることができる。その結果、表示装置１０ｆの視認性がより向上する。
【００６１】
また、表示装置１０ｆは、光源１２からの光を照射面１８ｆ、１８ｆで反射させて、間接的に筐体２の外部に照射するため、プリズム等を利用して光源１２からの光を筐体２の外部に導く必要はない。その結果、表示装置１０ｆは、構造を簡単にすることができる。
【００６２】
以上、実施形態１〜５を説明したが、上述した内容により実施形態１〜５が限定されるものではない。また、上述した構成要素には、当業者が容易に想定できるもの、実質的に同一のもの、いわゆる均等の範囲のものが含まれる。さらに、上述した構成要素は適宜組み合わせることが可能である。さらに、実施形態１〜５の要旨を逸脱しない範囲で構成要素の種々の省略、置換又は変更を行うことができる。
【符号の説明】
【００６３】
１  装置
２  筐体
２Ｐ  操作部面
３  操作部
４  溝
４Ｂ  底
４Ｓ  溝側面
４Ｗ  溝壁
５  傾斜部
１０、１０ｃ、１０ｄ、１０ｅ、１０ｆ  表示装置
１１、１１ａ、１１ｂ、１１ｃ、１１ｃ１、１１ｃ２、１１ｄ  導光部材
１１ｄｔ  端面
１１ｄｐ２  一方の面
１１ｄｐ１  他方の面
１２、１２Ａ、１２Ｂ、１２Ｃ  光源
１３、１３ｃ、１３ｄ  受光部
１４、１４ａ、１４ｂ、１４ｃ、１４ｄ  照射部
１４Ｐ、１４Ｐｂ  平面部
１４Ｓ  面取り部
１４Ｓｂ  曲面部
１５、１５ｃ、１５ｄ  導光部
１５ＩＷ  内壁面
１５Ｒｄ  光拡散部
１５Ｓ  側面
１７  光源収納部
１８、１８ｆ  照射面
１９  溝内照射面
２０  光源収納部
２０Ｓ  カバー部
２０Ｔ  端部
【図１】
0006269791.tif 000002
【図２】
0006269791.tif 000003
【図３】
0006269791.tif 000004
【図４】
0006269791.tif 000005
【図５】
0006269791.tif 000006
【図６】
0006269791.tif 000007
【図７】
0006269791.tif 000008
【図８】
0006269791.tif 000009
【図９】
0006269791.tif 000010
【図１０】
0006269791.tif 000011
【図１１】
0006269791.tif 000012
【図１２】
0006269791.tif 000013
【図１３】
0006269791.tif 000014
【図１４】
0006269791.tif 000015
【図１５】
0006269791.tif 000016
【図１６】
0006269791.tif 000017
【図１７】
0006269791.tif 000018
【図１８】
0006269791.tif 000019
【図１９】
0006269791.tif 000020